(57)【要約】【課題】おしゃぶりを取り付けるタイプのよだれ掛けにおいて、おしゃぶりの紛失を防止するとともに、衛生面を向上させ、さらに、乳幼児に対して、よだれ掛けとおしゃぶりを活用した情操教育を可能にする。【解決手段】乳幼児の胸から腹を覆い衣服の汚れを防止する本体部１１と、少なくとも上端部１２ａが本体部１１の前面に取り付けられたおしゃぶり保持体１２と、おしゃぶり保持体１２の下端部に取り付けられたおしゃぶり１３と、おしゃぶり１３を覆うおしゃぶりカバー１４とを備え、おしゃぶり１３の使用時には、おしゃぶり保持体１２を折り曲げるとともに、おしゃぶりカバー１４を開けておしゃぶり１３を取り出して口にくわえることができるようにした。おしゃぶり保持体１２とおしゃぶりカバー１４を、関連した組み合わせのデザインにより構成することが好ましい。【選択図】図１
2009138304.tif 000002
【特許請求の範囲】
【請求項１】
乳幼児の胸から腹を覆い衣服の汚れを防止する本体部と、少なくとも上端部が前記本体部の前面に取り付けられたおしゃぶり保持体と、前記おしゃぶり保持体の下端部に取り付けられたおしゃぶりと、前記おしゃぶりを覆うおしゃぶりカバーとを備え、
おしゃぶりの使用時には、前記おしゃぶり保持体を折り曲げるとともに、前記おしゃぶりカバーを開けて前記おしゃぶりを取り出して口にくわえることができるようにしたことを特徴とするよだれ掛け。
【請求項２】
前記おしゃぶり保持体が取り外し可能に取り付けられていることを特徴とする請求項１に記載のよだれ掛け。
【請求項３】
乳幼児の胸から腹を覆い衣服の汚れを防止する本体部と、前記本体部の下端部に取り付けられたおしゃぶりと、前記おしゃぶりを覆うおしゃぶりカバーとを備え、
おしゃぶりの使用時には、前記本体部を折り曲げるとともに、前記おしゃぶりカバーを開けて前記おしゃぶりを取り出して口にくわえることができるようにしたことを特徴とするよだれ掛け。
【請求項４】
前記おしゃぶりが取り外し可能に取り付けられていることを特徴とする請求項１乃至請求項３のうちいずれか一つに記載のよだれ掛け。
【発明の詳細な説明】
【技術分野】
【０００１】
本発明は、乳幼児に着用させるよだれ掛けに関するものである。
【背景技術】
【０００２】
従来、乳幼児が食事中の飲食物やよだれ等により衣服を汚すことを防止するために、乳幼児の胸から腹の部分を覆うようによだれ掛けを着用させている。こうしたよだれ掛けは、
通常、乳幼児の胸から腹を覆う布やビニール等の部材で形成された本体部を有しており、この本体部を乳幼児に装着させるために、首にぶらさげるための装着部が上方に延出して形成されている。
【０００３】
一方、乳幼児に与えられるものとして、おしゃぶりがある。このおしゃぶりは、乳幼児に安心感を持たせる用具として有用であるが、乳幼児が常に口にくわえているとは限らず、口にくわえたり、離したりすることを繰り返すものである。
そのため、乳幼児がおしゃぶりを口から離してもなくならないように、おしゃぶりに紐を付けて、その紐をよだれ掛けにクリップで留めておくようにしたものがあるが、おしゃぶりが口から離れている間に床に触れてしまうなど、衛生面の問題があり、またクリップでは確実に紛失を防止することは困難である。
【０００４】
これに対して、特許文献１には、エプロンの前面に、おしゃぶり等の用具を保持するホルダーを取り付けるとともに、該用具を収容可能なポケットを設けた発明が記載されている。これによりおしゃぶり等の紛失を防ぐとともに、ポケットに収容して衛生面の問題を解決しようとしている。
また、特許文献２には、エプロンの襟まわりの部分に、おしゃぶりを保持するおしゃぶり保持体の一端を取り付け、その保持体の長さを乳幼児がおしゃぶりを口にくわえることが可能な長さにした発明が記載されている。
【特許文献１】実用新案登録第３１０５３７９号公報
【特許文献２】特開２００５−９７７６５号公報
【発明の開示】
【発明が解決しようとする課題】
【０００５】
しかしながら、特許文献１に記載された発明によれば、おしゃぶりの紛失を防止することは可能であるが、おしゃぶりをポケットに入れるだけでは、衛生上の課題が残る。すなわち、常におしゃぶりがポケットから飛び出す恐れがあり、またポケット内にゴミが溜まる恐れもある。
また、特許文献２に記載された発明によれば、おしゃぶりの紛失を防止することは可能であるが、衛生面の問題は解決されていない。
【０００６】
本発明は、上記従来の課題を解決するものであり、おしゃぶりを取り付けるタイプのよだれ掛けにおいて、おしゃぶりの紛失を防止するとともに、衛生面を向上させたよだれ掛けを提供するものである。さらに、乳幼児に対して、よだれ掛けとおしゃぶりを活用した情操教育を可能にするものである。
【課題を解決するための手段】
【０００７】
請求項１に係る発明のよだれ掛けは、乳幼児の胸から腹を覆い衣服の汚れを防止する本体部と、少なくとも上端部が前記本体部の前面に取り付けられたおしゃぶり保持体と、前記おしゃぶり保持体の下端部に取り付けられたおしゃぶりと、前記おしゃぶりを覆うおしゃぶりカバーとを備え、おしゃぶりの使用時には、前記おしゃぶり保持体を折り曲げるとともに、前記おしゃぶりカバーを開けて前記おしゃぶりを取り出して口にくわえることができるようにしたことを特徴とする。
ここで、おしゃぶり保持体とおしゃぶりカバーを、関連した組み合わせのデザインにより構成することが好ましい。例えば、おしゃぶり保持体を動物の図柄とし、おしゃぶりカバーをその動物の好物にするとよい（猿とバナナ、犬と骨など）。
【０００８】
請求項２に係る発明は、請求項１に記載のよだれ掛けにおいて、前記おしゃぶり保持体が取り外し可能に取り付けられていることを特徴とする。
【０００９】
請求項３に係る発明のよだれ掛けは、乳幼児の胸から腹を覆い衣服の汚れを防止する本体部と、前記本体部の下端部に取り付けられたおしゃぶりと、前記おしゃぶりを覆うおしゃぶりカバーとを備え、おしゃぶりの使用時には、前記本体部を折り曲げるとともに、前記おしゃぶりカバーを開けて前記おしゃぶりを取り出して口にくわえることができるようにしたことを特徴とする。
ここで、本体部の前面に記載する図柄とおしゃぶりカバーを、関連した組み合わせのデザインにより構成することが好ましい。例えば、本体部の前面の図柄を動物の図柄とし、おしゃぶりカバーをその動物の好物にするとよい（猿とバナナ、犬と骨など）。
【００１０】
請求項４に係る発明は、請求項１乃至請求項３のうちいずれか一つに記載のよだれ掛けにおいて、前記おしゃぶりが取り外し可能に取り付けられていることを特徴とする。
【発明の効果】
【００１１】
請求項１に記載の発明においては、よだれ掛け本体部の前面に取り付けられたおしゃぶり保持体の下端部におしゃぶりが取り付けられているので、乳幼児がおしゃぶりを口から離しても、おしゃぶりはおしゃぶり保持体に取り付けられたままで紛失することはない。
また、おしゃぶり保持体は少なくともその上端部が本体部に取り付けられており、おしゃぶりを口にくわえるときには、おしゃぶり保持体を折り曲げることにより、おしゃぶりを口まで移動させることができる。
また、おしゃぶりを覆うおしゃぶりカバーが備えられているので、使用しないときには、おしゃぶりを外部から遮断して、汚れるのを防止することができる。さらに、おしゃぶり保持体とおしゃぶりカバーを、関連した組み合わせのデザインにより構成することが可能であり、これにより乳幼児に対しておしゃぶりカバーを開閉するという動作に興味を持たせ、手先の運動や情操教育を施すことができる。
【００１２】
さらに、請求項２に記載の発明においては、おしゃぶり保持体が本体部から取り外し可能に取り付けられている。従って、おしゃぶり保持体とおしゃぶりカバーの組み合わせを別のデザインのものに取り替えて、様々な情操教育を施すことができる。
【００１３】
請求項３に記載の発明においては、よだれ掛け本体部の下端部におしゃぶりが取り付けられているので、乳幼児がおしゃぶりを口から離しても、おしゃぶりはよだれ掛け本体部に取り付けられたままで紛失することはない。
また、おしゃぶりを口にくわえるときには、本体部を折り曲げることにより、おしゃぶりを口まで移動させることができる。
また、おしゃぶりを覆うおしゃぶりカバーが備えられているので、使用しないときには、おしゃぶりを外部から遮断して、汚れるのを防止することができる。さらに、本体部の前面に記載する図柄とおしゃぶりカバーを、関連した組み合わせのデザインにより構成することが可能であり、これにより乳幼児に対しておしゃぶりカバーを開閉するという動作に興味を持たせ、手先の運動や情操教育を施すことができる。
【００１４】
さらに、請求項４に記載の発明においては、おしゃぶりが取り外し可能に取り付けられている。従って、おしゃぶりを適宜取り替えて消毒することにより、おしゃぶりカバーによる衛生面の向上に加えて、さらに効果的に衛生面の問題を解決することができる。
【発明を実施するための最良の形態】
【００１５】
次に、図１乃至図４を参照して、本発明の実施形態１に係るよだれ掛けについて説明する。図１は、実施形態１に係るよだれ掛け１０を示す斜視図であり、図２は、実施形態１に係るよだれ掛け１０のおしゃぶりカバーを開けた状態を示す斜視図である。
図１及び図２に示すように、よだれ掛け１０は、主として、本体部１１、おしゃぶり保持体１２、おしゃぶり１３、おしゃぶりカバー１４から構成されている。
【００１６】
本体部１１は、乳幼児が食事中の飲食物やよだれ等により衣服を汚すことを防止するために、乳幼児の胸から腹の部分を覆うものであり、布やビニール等の各種部材で形成されている。本体部には、乳幼児に装着させるために、上方に延出する装着部１，２が形成されている。装着部１，２の先端付近には、面ファスナー３，４が取り付けられており、装着部１，２を乳幼児の首まわりに回して、首の後で面ファスナー３，４を貼り合わせることにより、よだれ掛け１０を乳幼児の首にぶら下げて装着するようになっている。
なお、乳幼児に装着させる方法は、上記構成に限定されるものではなく、面ファスナーの代わりにスナップボタンを用いたり、環状の輪の中に乳幼児の首を通すようにする等、どのような構成であってもよい。
【００１７】
おしゃぶり保持体１２は、本体部１１と同様に布やビニール等の各種部材で形成されおり、本実施形態においては猿の顔を模した形態になっている。おしゃぶり保持体１２の上端部１２ａは、本体部１１の前面に取り付けられており、これにより、おしゃぶり保持体１２を、上端部１２ａを支点として折り曲げて上方にめくり上げることができるようになっている。
【００１８】
なお、おしゃぶり保持体１２を本体部１１に取り付けるにあたり、上端部１２ａのみではなく下方部分まで取り付けることも可能である。取り付け部分が大きくなるほど本体部１１に安定的に取り付けることができるが、上端部１２ａ付近のみを取り付ける方が、おしゃぶり保持体１２をめくり上げやすい。
また、取り付けにあたっては、おしゃぶり保持体１２を本体部１１に縫い付けて固定してもよいし、面ファスナーやスナップボタンを用いて取り外し可能に取り付けてもよい。
【００１９】
おしゃぶり保持体１２の下端部には、おしゃぶり１３が取り付けられており、おしゃぶり１３を覆うようにおしゃぶりカバー１４が取り付けられている。
図３を参照しておしゃぶり１３及びおしゃぶりカバー１４について詳細に説明する。
【００２０】
おしゃぶり保持体１２の下端部には、おしゃぶり１３を取り付けるための取付部１５が形成されている。取付部１５は、折り曲げ可能な帯状の布部材であり、両端部に互いに貼着可能な面ファスナー１５ａ，１５ｂが固定されている。一方、おしゃぶり１３には、取り付けのための環状体１３ａが形成されている。そして、面ファスナー１５ａ，１５ｂをはずした状態の取付部１５を環状体１３ａに差し込んだ後、取付部１５を折り曲げて面ファスナー１５ａ，１５ｂを貼着することにより、おしゃぶり１３が取り付けられる。
なお、おしゃぶり１３を直接おしゃぶり保持体１２に固定してもよいが、本実施形態のように取付部１５を用いることで、おしゃぶり１３を取り外し可能に取り付けることができる。
【００２１】
一方、おしゃぶりカバー１４は、おしゃぶり１３を包み込んで覆うように形成されている。本実施形態においては、おしゃぶりカバー１４はバナナを模した形態となっており、バナナの皮となるカバー片１４ａ，１４ｂ，１４ｃ，１４ｄから構成されている。カバー片１４ａ，１４ｂ，１４ｃ，１４ｄは、それぞれ根元部分がおしゃぶり保持体１２の下端部に縫い付けられている。そして、おしゃぶり１３を収容した状態では、隣り合うカバー片の周縁部を固定して、図１に示すようなバナナの形態になっている。カバー片の周縁部の固定は、例えば周縁部に沿って細長い面ファスナーを取り付けてもよいし、スナップボタン等で留めるようにしてもよい。
【００２２】
なお、おしゃぶりカバー１４の形態を決定するにあたっては、おしゃぶり保持体１２の形態と関連した組み合わせのデザインにより構成することが好ましい。本実施形態においては、おしゃぶり保持体１２を、猿を模した形態とし、おしゃぶりカバー１４を、猿の好物であるバナナを模した形態にしている。
【００２３】
次に、実施形態１に係るよだれ掛け１０の使用方法について説明する。図４は、実施形態１に係るよだれ掛け１０の使用状態を示す斜視図である。
まず、よだれ掛け１０の装着部１，２を乳幼児の首まわりに回して、首の後で面ファスナー３，４を貼り合わせることにより、よだれ掛け１０を乳幼児の首にぶら下げて装着する。このとき、おしゃぶり１３は、図１に示すように、おしゃぶりカバー１４に覆われており、外部から遮断されているため汚れることはない。
【００２４】
次に、乳幼児がおしゃぶり１３をくわえるときには、図４に示すように、おしゃぶり保持体１２を中間部分から折り曲げてめくり上げる。さらにカバー片１４ａ，１４ｂ，１４ｃ，１４ｄを引き離すことによりおしゃぶりカバー１４を開けて、おしゃぶり１３を出現させる。このときおしゃぶりカバー１４の各カバー片は、下方に垂れ下がる。
このようにして、取り出したおしゃぶり１３を口元まで移動して、口にくわえることができる。おしゃぶりを使用した後は、再びカバー片１４ａ，１４ｂ，１４ｃ，１４ｄを貼着させておしゃぶりカバー１４を閉じることにより、外部から遮断して汚れを防止することができる。
なお、おしゃぶりカバー１４を開閉する動作は、両親等の保護者が行ってもよいが、乳幼児に自分で行わせる方が、手先の運動や情操教育の面から好ましい。
【００２５】
このように、実施形態１に係るよだれ掛け１０においては、よだれ掛け本体部１１の前面に取り付けられたおしゃぶり保持体１２の下端部におしゃぶり１３が取り付けられているので、乳幼児がおしゃぶり１３を口から離しても、おしゃぶり１３はおしゃぶり保持体１２に取り付けられたままで紛失することはない。
【００２６】
また、おしゃぶり保持体１２は少なくともその上端部１２ａが本体部１１に取り付けられており、おしゃぶり１３を口にくわえるときには、おしゃぶり保持体１２を折り曲げることにより、おしゃぶり１３を口まで移動させることができる。
【００２７】
また、おしゃぶり１３を覆うおしゃぶりカバー１４が備えられているので、使用しないときには、おしゃぶり１３を外部から遮断して、汚れるのを防止することができる。さらに、おしゃぶり保持体１２とおしゃぶりカバー１４を、関連した組み合わせのデザインにより構成することが可能であり、これにより乳幼児に対しておしゃぶりカバー１４を開閉するという動作に興味を持たせ、手先の運動や情操教育を施すことができる。
【００２８】
さらに、おしゃぶり保持体１２を本体部１１から取り外し可能に取り付けることにより、おしゃぶり保持体１２とおしゃぶりカバー１４の組み合わせを別のデザインのものに取り替えて、様々な情操教育を施すことができる。
【００２９】
さらに、おしゃぶり１３を取り外し可能に取り付ければ、おしゃぶり１３を適宜取り替えて消毒することにより、おしゃぶりカバー１４による衛生面の向上に加えて、さらに効果的に衛生面の問題を解決することができる。
【００３０】
次に、図５乃至図７を参照して、本発明の実施形態２に係るよだれ掛けについて説明する。図５は、実施形態２に係るよだれ掛け２０を示す斜視図であり、図６は、実施形態２に係るよだれ掛け２０のおしゃぶりカバーを開けた状態を示す斜視図である。
図５及び図６に示すように、よだれ掛け２０は、主として、本体部２１、おしゃぶり２３、おしゃぶりカバー２４から構成されている。
【００３１】
本体部２１は、実施形態１に係るよだれ掛け１０と同様に、乳幼児が食事中の飲食物やよだれ等により衣服を汚すことを防止するために、乳幼児の胸から腹の部分を覆うものであり、布やビニール等の各種部材で形成されている。装着部１，２、面ファスナー３，４についても、実施形態１に係るよだれ掛け１０と同様である。
一方、よだれ掛け２０は、よだれ掛け１０におけるおしゃぶり保持体１２を備えていない。その代わりに、よだれ掛け２０の本体部２１の前面には、猿の図柄２２が描かれている。
【００３２】
本体部２１の下端部には、おしゃぶり２３が取り付けられており、おしゃぶり２３を覆うようにおしゃぶりカバー２４が取り付けられている。
本体部２１の下端部には、おしゃぶり２３を取り付けるための取付部２５が形成されている。おしゃぶり２３及び取付部２５の構成は、本体部２１の下端部に取り付けられる点を除いて、実施形態１に係るおしゃぶり１３及び取付部１５と同様の構成であるため、説明を省略する。
同様に、おしゃぶりカバー２４も、本体部２１の下端部に取り付けられる点を除いて、実施形態１に係るおしゃぶりカバー２４と同様の構成であるため、説明を省略する。
【００３３】
実施形態２において、おしゃぶりカバー２４の形態を決定するにあたっては、本体部２１に描かれた図柄２２と関連した組み合わせのデザインにより構成することが好ましい。本実施形態においては、図柄２２を、猿を模した図柄とし、おしゃぶりカバー２４を、猿の好物であるバナナを模した形態にしている。
【００３４】
次に、実施形態２に係るよだれ掛け２０の使用方法について説明する。図７は、実施形態２に係るよだれ掛け２０の使用状態を示す斜視図である。
まず、よだれ掛け２０の装着部１，２を乳幼児の首まわりに回して、首の後で面ファスナー３，４を貼り合わせることにより、よだれ掛け２０を乳幼児の首にぶら下げて装着する。このとき、おしゃぶり２３は、図５に示すように、おしゃぶりカバー２４に覆われており、外部から遮断されているため汚れることはない。
【００３５】
次に、乳幼児がおしゃぶり２３をくわえるときには、図７に示すように、本体部２１を中間部分から折り曲げてめくり上げる。さらにカバー片２４ａ，２４ｂ，２４ｃ，２４ｄを引き離すことによりおしゃぶりカバー２４を開けて、おしゃぶり２３を出現させる。このときおしゃぶりカバー２４の各カバー片は、下方に垂れ下がる。
このようにして、取り出したおしゃぶり２３を口元まで移動して、口にくわえることができる。おしゃぶりを使用した後は、再びカバー片２４ａ，２４ｂ，２４ｃ，２４ｄを貼着させておしゃぶりカバー２４を閉じることにより、外部から遮断して汚れを防止することができる。
なお、おしゃぶりカバー２４を開閉する動作は、両親等の保護者が行ってもよいが、乳幼児に自分で行わせる方が、手先の運動や情操教育の面から好ましい。
【００３６】
このように、実施形態２に係るよだれ掛け２０においては、よだれ掛け本体部２１の下端部におしゃぶり２３が取り付けられているので、乳幼児がおしゃぶり２３を口から離しても、おしゃぶり２３はよだれ掛け本体部２１に取り付けられたままで紛失することはない。
【００３７】
また、おしゃぶり２３を口にくわえるときには、本体部２１を折り曲げることにより、おしゃぶり２３を口まで移動させることができる。
【００３８】
また、おしゃぶり２３を覆うおしゃぶりカバー２４が備えられているので、使用しないときには、おしゃぶり２３を外部から遮断して、汚れるのを防止することができる。さらに、本体部２１の前面に記載する図柄２２とおしゃぶりカバー２４を、関連した組み合わせのデザインにより構成することが可能であり、これにより乳幼児に対しておしゃぶりカバー２４を開閉するという動作に興味を持たせ、手先の運動や情操教育を施すことができる。
【００３９】
図８は、他の実施形態に係るよだれ掛け３０を示す正面図である。よだれ掛け３０は、本体部３１に取り付けるおしゃぶり保持体３２を犬を模した形態にしている。そして、おしゃぶり３３を覆うおしゃぶりカバー３４を、犬の好物である骨を模した形態にしている。
他にも様々な組み合わせが可能であり、おしゃぶりカバーを取り付けるという構成により、「おしゃぶり保持体とおしゃぶりカバーの組み合わせ」又は「本体部の図柄とおしゃぶりカバーの組み合わせ」を様々に工夫して、乳幼児の興味を引くような構成とすることが可能となる。
【００４０】
以上説明したように、上記実施形態のよだれ掛けによれば、おしゃぶりを取り付けるタイプのよだれ掛けにおいて、おしゃぶりの紛失を防止するとともに、衛生面を向上させ、さらに、乳幼児に対して、よだれ掛けとおしゃぶりを活用した情操教育を可能にすることができる。
【図面の簡単な説明】
【００４１】
【図１】本発明の実施形態１に係るよだれ掛けを示す斜視図である。
【図２】実施形態１に係るよだれ掛けのおしゃぶりカバーを開けた状態を示す斜視図である。
【図３】実施形態１に係るよだれ掛けのおしゃぶりカバーを示す拡大斜視図である。
【図４】実施形態１に係るよだれ掛けの使用状態を示す斜視図である。
【図５】本発明の実施形態２に係るよだれ掛けを示す斜視図である。
【図６】実施形態２に係るよだれ掛けのおしゃぶりカバーを開けた状態を示す斜視図である。
【図７】実施形態２に係るよだれ掛けの使用状態を示す斜視図である。
【図８】他の実施形態に係るよだれ掛けを示す正面図である。
【符号の説明】
【００４２】
１      装着部
２      装着部
３      面ファスナー
４      面ファスナー
１０      よだれ掛け
１１      本体部
１２      おしゃぶり保持体
１２ａ    上端部
１３      おしゃぶり
１３ａ    環状体
１４      おしゃぶりカバー
１４ａ    カバー片
１４ｂ    カバー片
１４ｃ    カバー片
１４ｄ    カバー片
１５      取付部
１５ａ    面ファスナー
１５ｂ    面ファスナー
２０      よだれ掛け
２１      本体部
２２      図柄
２３      おしゃぶり
２４      おしゃぶりカバー
２４ａ    カバー片
２４ｂ    カバー片
２４ｃ    カバー片
２４ｄ    カバー片
３０      よだれ掛け
３１      本体部
３２      おしゃぶり保持体
３３      おしゃぶり
３４      おしゃぶりカバー
【図１】
2009138304.tif 000003
【図２】
2009138304.tif 000004
【図３】
2009138304.tif 000005
【図４】
2009138304.tif 000006
【図５】
2009138304.tif 000007
【図６】
2009138304.tif 000008
【図７】
2009138304.tif 000009
【図８】
2009138304.tif 000010